(57)【要約】【課題】  従来の遊技機では、筐体の前面ドアに取り付けられるカバーの美観が低下する問題があった。【解決手段】  サイドレンズ９ａ，９ｂは、両側部の前面を下部カバー７のスリット７１，７１から露出させると共に、中央の溝部９１を柱状部７２の背面側に嵌め合わせた状態で下部カバー７の背面に取り付けられる。サイドレンズ９ａ，９ｂは、下部カバー７の背面両側の突条７４と両側壁とで形成される凹溝７ａに突条９２ａが嵌入して、下部カバー７の幅方向への位置が固定されている。また、サイドレンズ９ａ，９ｂの両側部の高さ方向中央部の背面にフック７４ａが係止し、上端部の背面にフック７５が係止し、また、平板体９３の開口９３ａを介して下端部が背面からネジ孔７３でネジ止めされて、下部カバー７の前後方向へのサイドレンズ９ａ，９ｂの位置が固定される。【選択図】  図２４
2006094948.tif 000002
【特許請求の範囲】
【請求項１】
遊技に用いられる機器を収納する筐体と、
この筐体前面に開閉自在に取り付けられた扉体と、
この扉体の高さ方向に沿って設けられた装飾部材と、
この装飾部材の延設方向に沿って形成された開口を塞いで前記装飾部材に取り付けられる光透過性を有する透過部材とを備える遊技機において、
前記装飾部材は、前記開口を前記延設方向に沿って分割する柱状部を備え、この柱状部を含む前記延設方向に垂直な断面が略三角形状をしており、
前記透過部材は、前記装飾部材の背面側から前記装飾部材に取り付けられていることを特徴とする遊技機。
【請求項２】
前記装飾部材の背面には凹部または凸部が形成されており、前記透過部材の前面には前記凹部または凸部に嵌合する凸部または凹部が形成されていることを特徴とする請求項１に記載の遊技機。
【請求項３】
前記装飾部材には、前記装飾部材の背面に取り付けられた前記透過部材の背面端部に係止する係止部材が形成されていることを特徴とする請求項１または請求項２に記載の遊技機。
【発明の詳細な説明】
【技術分野】
【０００１】
本発明は、筐体の扉体に装飾部材を備える遊技機に関するものである。
【背景技術】
【０００２】
従来、このような遊技機としては、例えば、リールの回転を遊技者の操作に応じて停止させるスロットマシンで、いわゆるパチスロ機と称される下記の特許文献１に開示されたものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダルの払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
遊技に用いられるリールや制御基板等の機器を収納している筐体前面には、前面ドアが開閉自在に取り付けられている。この前面ドアの両端には、その上部から下部にかけた高さ方向に縦長に電飾表示手段が設けられている。電飾表示手段は装飾部材としてサイドレンズカバーを備えており、サイドレンズカバーには電飾表示用のレンズが設けられている。レンズは光透過性を持つ透明樹脂からなる透過部材であり、サイドレンズカバーの縦方向に沿って形成された開口を覆うように、サイドレンズカバー前面に取り付けられる。サイドレンズカバー背後の前面ドアには、ＬＥＤ（発光ダイオード）を用いた照明装置が配置されており、当選役や遊技状態等に応じて照明装置が駆動されてＬＥＤが発光する。発光された光は、サイドレンズカバーの開口を塞ぐレンズを通して、遊技者に視認される。
【特許文献１】特開２００４−２４４４５号公報（段落［００５９］〜［００６２］、［００７５］〜［００７７］参照）
【発明の開示】
【発明が解決しようとする課題】
【０００４】
従来のパチスロ機では、前方から外力を加えられた際に、縦方向に細長いレンズやサイドレンズカバーが後方に撓んだり、開口によって縦方向に割かれているサイドレンズカバーの開口が幅方向に拡がって左右方向に開くのを防止するため、開口の幅方向の両側間には棒状の橋渡部材が掛け渡されて、レンズの背面が橋渡部材で支持されると共に、開口の幅方向における拡がりが抑制されていた。しかし、レンズが透明であるため、サイドレンズカバー前面側からレンズを通して橋渡部材が視認され、カバーの美観が低下する虞があったため、サイドレンズカバーと同系色のシールをレンズに貼り付けて、橋渡部材を隠していた。しかしながら、橋渡部材の全てをシールで隠すことはできず、サイドレンズカバーの美観が低下する問題があった。また、サイドレンズカバーの美観を確保するために橋渡部材のような部材を備えないような構成とすると、サイドレンズカバーの強度を十分に確保することができない問題があった。
【課題を解決するための手段】
【０００５】
本発明はこのような課題を解決するためになされたもので、遊技に用いられる機器を収納する筐体と、この筐体前面に開閉自在に取り付けられた扉体と、この扉体の高さ方向に沿って設けられた装飾部材と、この装飾部材の延設方向に沿って形成された開口を塞いで装飾部材に取り付けられる光透過性を有する透過部材とを備える遊技機において、装飾部材は、開口を延設方向に沿って分割する柱状部を備え、この柱状部を含む延設方向に垂直な断面が略三角形状をしており、透過部材は、装飾部材の背面側から装飾部材に取り付けられていることを特徴とする。
【０００６】
この構成によれば、透過部材が装飾部材の背面側から装飾部材に取り付けられており、開口を分割する柱状部によって透過部材の前面の一部が覆われている。柱状部を含む装飾部材は断面が略三角形状をしているため、装飾部材の前方から加えられた外力により、撓んだり、開口が拡がるのに対抗することができる。また、前方から加えられた外力を、透過部材の前面に位置する柱状部で受けて、透過部材に加えられる外力を低減できる。従って、従来のように橋渡部材を用いずに、透過部材や装飾部材が後方に撓んだり、装飾部材が幅方向に拡がって左右方向に開くのを防止でき、装飾部材および透過部材の強度を確保しつつ、美観の低下を避けることができる。また、強度を確保できるので装飾部材および透過部材を長期間使用でき、機種変更の際に再使用できる。
【０００７】
また、本発明は、装飾部材の背面には凹部または凸部が形成されており、透過部材の前面には前記凹部または凸部に嵌合する凸部または凹部が形成されていることを特徴とする。
【０００８】
この構成によれば、装飾部材背面の凹部または凸部に透過部材前面の凸部または凹部が嵌合して、透過部材と装飾部材との幅方向の位置関係が強固に固定される。このため、前方から外力が加えられて装飾部材が幅方向に拡幅するのがより強固に防止され、透過部材と装飾部材との間にがたつきが生じるのをより効果的に避けることができる。
【０００９】
また、本発明は、装飾部材には、装飾部材の背面に取り付けられた透過部材の背面端部に係止する係止部材が形成されていることを特徴とする。
【００１０】
この構成によれば、装飾部材の係止部材が透過部材の背面端部に係止して、透過部材と装飾部材との前後方向の位置関係が強固に固定される。このため、前方から外力が加えられて透過部材が後方に撓むのをより効果的に避けることができる。
【発明の効果】
【００１１】
このような本発明によれば、上記のように、カバーといった装飾部材の強度を確保しつつ、美観の低下を避けることができ、機種変更の際に再使用もできる。
【発明を実施するための最良の形態】
【００１２】
図１は本実施形態によるパチスロ機１の外観を示す一部分解斜視図、図２はリール表示窓１１を取り外した状態のパチスロ機１の筐体１ａから取り外された前面ドア４を示す正面図、図３は前面ドア４の側面図である。なお、これら各図において、同一または相当する部分には、同一符号を付している。
【００１３】
パチスロ機１は、図１に示すように、筐体１ａの前面開口が扉体である前面ドア４で塞がれて覆われている。前面ドア４は、筐体１ａの前面の一側に片側が開閉自在に軸支されている。筐体１ａの内部の中央部には回転自在に３個のリールが設けられている（図示せず）。各リールの外周面には複数種類の図柄（以下、シンボルという）から成るシンボル列が描かれている。また、筐体１ａには、パチスロ機１による遊技動作を制御する制御回路が構成された制御基板をはじめ、遊技に用いられる各種機器が収納されている。
【００１４】
各リールの前部にはリール表示窓部１１が設けられており、このリール表示窓部１１に形成された３個のリール表示窓を通して、各リールの外周面に描かれたシンボルがそれぞれ３個ずつ観察される。リール表示窓部１１には、横３本と斜め２本の計５本の入賞ラインが設けられている場合がある。また、表示窓の下方右側には、遊技者が遊技媒体であるメダルを入れるための投入口１２が設けられている。
【００１５】
ゲーム開始に先立って、遊技者がメダル投入口１２から１枚のメダルを投入したときは、中央の横１本の入賞ラインが有効化される。また、２枚投入したときは、これに上下の横２本の入賞ラインが加わって横３本の入賞ラインが有効化される。また、３枚投入したときは、５本の入賞ラインの全てが有効化される。
【００１６】
図１，図２に示すように、表示窓の左方には、上部から、役物回数表示器１３、３個の遊技メダル投入枚数表示ランプ１４ａ〜１４ｃ、遊技メダル払出枚数表示器１５、遊技メダル貯留枚数表示器１６が設けられている。役物回数表示器１３は３桁の７セグメントＬＥＤからなり、ボーナスゲーム入賞時に、ＲＢゲームおよびジャックゲームの残り入賞可能回数をデジタル表示する。遊技メダル投入枚数表示ランプ１４ａ，１４ｂ，１４ｃはメダルの投入枚数３枚，２枚，１枚に応じて点灯する。遊技メダル払出枚数表示器１５は２桁の７セグメントＬＥＤからなり、入賞によるメダル払い出し枚数を表示する。遊技メダル貯留枚数表示器１６は２桁の７セグメントＬＥＤからなり、機械内部に現在クレジットされているメダル数を表示する。また、遊技メダル貯留枚数表示器１６の下方には、左側から、遊技メダル投入ランプ１７ａ、遊技開始表示ランプ１７ｂ、遊技停止表示器（ウエイトランプ）１７ｃ、再遊技表示器１７ｄ、当たり表示ランプ（ＷＩＮランプ）１７ｅが設けられており、これらはＬＥＤによって構成されている。遊技メダル投入ランプ１７ａは、メダルの投入が受け付け可能なときに点灯する。遊技開始表示ランプ１７ｂは、リールが回転可能なときに点滅する。遊技停止表示器（ウエイトランプ）１７ｃは、前回のリール回転から今回のリール回転までの時間が４．１秒未満のとき等に点灯する。再遊技表示器１７ｄは、リプレイが作動したときに点灯する。当たり表示ランプ（ＷＩＮランプ）１７ｅはＢＢ中にＲＢが内部当たりした遊技終了時等に点灯する。
【００１７】
また、リール表示窓部１１は、保護パネル１１ａおよびその背後の遊技情報表示パネル１１ｂを支持した表示窓フレーム１１ｃを表示窓フレームベース４１に取り付けて構成されている。リール表示窓部１１の背後には液晶表示パネルが設けられており、この液晶表示パネルには種々の遊技情報や遊技演出画像が表示される。リール表示窓部１１の下方左側には、１貯留メダル投入スイッチ１９ａ、２貯留メダル投入スイッチ１９ｂ、３貯留メダル投入スイッチ１９ｃ、選択ボタン２０ａ、および決定ボタン２０ｂが設けられている。貯留メダル投入スイッチ１９ａ〜１９ｃは、遊技メダル貯留枚数表示器１６にメダル数が表示されてメダルがクレジットされている際に、メダル投入口１２へのメダル投入に代えて１回のゲームに１〜３枚のメダルを賭ける際に使用される。選択ボタン２０ａは、液晶表示パネルにおける表示項目の選択に用いられる。決定ボタン２０ｂは、選択ボタン２０ａで選択された液晶表示パネルにおける表示項目の決定に用いられる。
【００１８】
また、リール表示窓部１１のさらに下方には、左側から、スタートレバー２１、および停止ボタン２２ａ〜２２ｃが設けられている。スタートレバー２１の操作により各リールの回転が一斉に開始する。停止ボタン２２ａ〜２２ｃは、各リールに対応して配置されており、これら各リールの回転が一定速度に達したとき操作が有効化され、遊技者の操作に応じて各リールの回転を停止する。
【００１９】
また、前面ドア４の正面下部には腰部パネル２４が設けられており、この腰部パネル２４の下方にはメダル受皿２５が設けられている。メダル受皿２５はメダル払出口２６から払い出されるメダルを貯めるものである。腰部パネル２４は、図１に示すように、四角枠状の腰部フレーム２４ａの背面に保護パネル２４ｂ、遊技シート２４ｃ、および保護パネル２４ｄが取り付けられて一体化されて構成され、腰部フレームベース４６に取り付けられている。腰部フレーム２４ａの右端部には、閉塞部材２４ｅ（図６参照）が取り付けられる。閉塞部材２４ｅは、腰部フレーム２４ａの右端側からの保護パネル２４ｂ，２４ｄの引出口を閉塞する部材である。この閉塞部材２４ｅには、腰部フレーム２４ａの右端側から保護パネル２４ａ，２４ｄに挟まれた遊技シート２４ｃを出し入れするための引出口２４ｆ（図６参照）が設けられている。
【００２０】
図１〜図３の各図に示すように、パチスロ機１の正面上部には、上部装飾ランプを覆う上部装飾ランプカバー１ｂが取り付けられている。上部装飾ランプカバー１ｂの下方中央には、入賞に対してどれだけのメダルが払い出されるかを示す配当表示部２７が設けられている。配当表示部２７の両側方には、スピーカから出力される音が放音される放音口が形成されたスピーカカバー２８，２８が設けられている。また、前面ドア４の前面の両側部には、後述するサイドレンズカバー５が取り付けられている。
【００２１】
図４は前面ドア４を前方右側から見た分解斜視図、図５は前面ドア４を構成するベースドア４ａを前方右側から見た斜視図である。
【００２２】
図４に示すように、前面ドア４は、上述したスタートレバー２１等の操作部や、サイドレンズカバー５等の各部材を土台となるベースドア４ａに取り付けて構成されている。ベースドア４ａは、図５に示され、前面ドア４の筐体１ａ前面と対向する背面側を構成している。ベースドア４ａのリール表示窓部１１が取り付けられる、その上部装飾ランプカバー１ｂ取付領域を除く正面上半部は、表示窓フレームベース４１になっており、表示窓フレームベース４１は、表示窓フレーム１１ｃの外形とほぼ同様の形状の四角枠状に形成されている。表示窓フレームベース４１の上辺部および下辺部には、表示窓フレーム１１ａの上端部および下端部に形成された図示しないフックが係止する係合孔４１ｂが設けられている。表示窓フレームベース４１の内側の左端部は、上述した各ランプや表示器が取り付けられる取付ベース４１ａの領域になっている。また、表示窓フレームベース４１の上方は、上部装飾ランプカバー１ｂが取り付けられる上部ベース４２の領域になっている。上部ベース４２の上辺部および下辺部には、上部装飾ランプカバー１ｂに設けられたフック８８（図１０，図１１参照）が嵌入する嵌入孔４２ａが２個ずつ設けられている。
【００２３】
また、ベースドア４ａの高さ方向中央部には、後述する操作部カバー２３が取り付けられる操作部カバー取付部４ｄの領域が設けられている。操作部カバー取付部４ｄの下方のベースドア４ａの腰部は、腰部パネル２４が取り付けられる腰部フレームベース４６の領域になっている。腰部フレームベース４６は、腰部フレーム２４ａの外形とほぼ同様の形状の四角枠状に形成されている。腰部フレームベース４６の上辺部および下辺部には、腰部フレーム２４ａの上端部および下端部に形成されたフック２４ａ１（図１参照）が係止する複数の係止孔４６ａが設けられている。また、腰部フレームベース４６の上辺部には、腰部フレーム２４ａに設けられた図示しない嵌入片が嵌入する嵌入孔４６ｂが設けられている。
【００２４】
図４に示すように、スタートレバー２１は、その操作方向を検知するセンサ等と一体化されたスタートレバーユニットとして、操作部カバー２３の左側下部の取付孔２３ａを介してベースドア４ａに取り付けられる。停止ボタン２２ａ〜２２ｃは、停止ボタンユニット２２として一体化されて、操作部カバー２３の下部中央に設けられた取付孔２３ｂを介してベースドア４ａに取り付けられる。各メダル投入スイッチ１９ａ〜１９ｃおよび各ボタン２０ａ、２０ｂは、これらの操作を検知するセンサ等と一体化されたユニットとなっており、取付板１９に取り付けられる。取付板１９は、操作部カバー２３上部の台座２３ｃに取り付けられて、各メダル投入スイッチ１９ａ〜１９ｃおよび各ボタン２０ａ、２０ｂが、台座２３ｃに設けられた取付孔２３ｄを介してベースドア４ａに取り付けられる。メダル投入口１２は、メダル投入口１２から投入されたメダルをパチスロ機１内部に導く導入路と、導入路を通過するメダルを検知するセンサ等とが一体化された投入機構部１２ａの一部を構成している。投入機構部１２ａは、操作部カバー２３の右側に設けられた投入機構部取付孔２３ｅからメダル投入口１２が露出するように投入機構部取付孔２３ｅに取り付けられる。
【００２５】
メダル受皿２５は、コインガードプレート２５ａを挟んでベースドア４ａ前面の下部に取り付けられる。コインガードプレート２５ａは、メダル受皿２５内に落下したメダルからベースドア４ａ前面を保護するためのものである。また、ベースドア４ａの両側部には、上述したサイドレンズカバー５が取り付けられる。サイドレンズカバー５の背面には、図４に示すようにサイドレンズ９ａ，９ｂが取り付けられる。
【００２６】
図６は、上部装飾ランプカバー１ｂおよびその背後の後述する上部パネル８、並びにサイドレンズカバー５が取り外された前面ドア４を示す斜視図，図７は、図６に示す前面ドア４の正面図である。
【００２７】
ベースドア４ａの両側部４ｃの前面には、図６，図７に示すように、照明装置として複数のＬＥＤ基板４３が取り付けられている。ＬＥＤ基板４３は、それぞれベースドア４ａの両側部４ｃの前面に沿った矩形状を呈しており、表面に複数のＬＥＤ４３ａを取り付けて構成されている。ＬＥＤ基板４３は、両側部４ｃの側部に対向して設けられたフック４４によって両側部４ｃの前面に嵌め込まれている。なお、図示しないが、上部ベース４２の両側部４ｃの前面にも同様にＬＥＤ基板４３が設けられる。各ＬＥＤ基板４３上のＬＥＤ４３ａは、パチスロ機１の遊技状態等に応じて点灯制御される。また、前面ドア４の右側部４ｃの前面には、前面ドア４の開閉に鍵をかける鍵差込部４５が設けられている。
【００２８】
図８は、前面ドア４から取り外したサイドレンズカバー５と、上部装飾ランプカバー１ｂを取り外した上部パネル８とを前方右側から見た斜視図、図９は、サイドレンズカバー５を上下に分離した状態を前方右側から見た斜視図である。
【００２９】
サイドレンズカバー５は、全体としてベースドア４ａの両側部４ｃの前面側に沿った形状をしており、両側部４ｃの前面側に着脱自在に嵌め込まれ、ＬＥＤ基板４３からなる照明装置と共に装飾部材を構成している。サイドレンズカバー５は、上部ベース４２の下端から上端までのベースドア４ａの両側部４ｃの前面側を覆う上部カバー６と、前面ドア４の下端から上部ベース４２の下端までのベースドア４ａの両側部４ｃの前面側を覆う下部カバー７とから構成されている。上部カバー６と下部カバー７とは、前面ドア４に取り付けられている際には図８に示す一体化された状態にあるが、図９に示すように、上部カバー６と各下部カバー７とで分離させることもできる。
【００３０】
図１０は上部カバー６および上部パネル８の前方右側からの斜視図、図１１は上部カバー６および上部パネル８を前方から見た正面図、図１２は上部カバー６および上部パネル８を後方から見た背面図である。
【００３１】
各上部カバー６の前面は、上端部において緩やかに前方に向けて略円弧状に下降傾斜しており、中央部において下方に向けてほぼ垂直方向に向けて落ち込んだ後、下端部にかけて緩やかに後方に向けて略円弧状に下降傾斜している。各上部カバー６の前面には、上下方向に沿って２本のスリット６１，６１が設けられている。
【００３２】
スリット６１，６１が設けられた箇所には、それぞれ上部カバー６の背面側からサイドレンズが取り付けられる。両スリット６１，６１からは、上部カバー６に取り付けられたサイドレンズの前端部が上部カバー６の前方に露出する。サイドレンズは、透明の樹脂から形成されており、上述したＬＥＤ基板４３と同様なＬＥＤ基板のＬＥＤから発光された光を透過する。上部カバー６の前方からは、サイドレンズで透過された光がスリット６１，６１を通して視認される。
【００３３】
両上部カバー６は、上部パネル８、および図６および図７に示す上部ベース４２の両側部の前面に着脱自在に取り付けられている。上部パネル８は、略四角形状の板状体から構成されている。上部パネル８前面の両側部のやや下方には、スピーカが嵌め込まれるスピーカ取付孔８１が形成されている。スピーカ取付孔８１は、略円形状に形成されており、その周囲にはスピーカがネジ止めされるネジ孔８２が４個設けられている。
【００３４】
また、上部パネル８の中央部のやや下方には、正面視略四角形状の開口８３が設けられている。開口８３の周縁部からは、上部パネル８の後方に向けて突片８４が突出しており、これら突片８４によって蛍光灯取付部が形成されている。蛍光灯取付部には、配当表示部２７を照明する蛍光灯が取り付けられる。また、上部パネル８の中央部の上方には、上部装飾ランプを構成するＬＥＤ基板が取り付けられる基板取付部８５が設けられている。基板取付部８５は、上部パネル８前方に突出した略矩形状の平坦部から構成されており、両側部にはＬＥＤ基板がネジ止めされるネジ孔８６が１個ずつ設けられている。この基板取付部８５および蛍光灯取付部と、スピーカ取付孔８１とは、隔壁８７によって隔てられている。また、上部パネル８の上縁および下縁には、上部パネル８を上部ベース４２に取り付けるためのフック８８が２個ずつ設けられている。各フック８８は、上述した上部ベース４２の係止孔４２ａに係止して、上部パネル８を上部ベース４２に固定する。上部パネル８の前面には、上述した上部装飾ランプカバー１ｂが取り付けられる。
【００３５】
図１３（ａ）〜（ｃ）は前面ドア４の右側に取り付けられる下部カバー７およびサイドレンズ９ａ，９ｂの前方右側からの分解斜視図、図１４（ａ）および（ｂ）は前面ドア４の左側および右側に取り付けられる下部カバー７の前方右側からの斜視図、図１５（ａ）および（ｂ）は図１４（ａ）および（ｂ）に示す下部カバー７を前方から見た正面図、図１６（ａ）および（ｂ）は図１４（ａ）および（ｂ）に示す下部カバー７を左側から見た側面図、図１７（ａ）および（ｂ）は図１４（ａ）および（ｂ）に示す下部カバー７を右側から見た側面図、図１８（ａ）および（ｂ）は図１４（ａ）および（ｂ）に示す下部カバー７を後方から見た背面図である。
【００３６】
図１３，図１４，図１６，および図１７に示すように、各下部カバー７の前面は、上端部から中央部にかけて、ベースドア４ａの両側部４ｃの前面に沿って緩やかに前方に向けて下降傾斜し、中央部においてベースドア４ａの両側部４ｃ中央の前方に略円弧状に膨出した後、下端部にかけて下方に向けてほぼ垂直に落ち込んでいる。下部カバー７の前面の中央部の膨出部から下端部にかけての垂直面は、下部カバー７の前面の上端部から中央部の膨出部にかけての傾斜面に比べて、長さが短く形成されている。
【００３７】
図１３〜図１５，および図１８に示すように、下部カバー７の上端部から中央部やや上方にかけての部分と、中央部やや下方から下端部にかけての部分とには、それぞれ縦方向に沿って１個の開口７１ａが設けられている。各開口７１ａの幅方向の中央部には、開口７１ａの上端から下端にかけて柱状部７２が設けられており、この柱状部７２によって開口７１ａが２本のスリット７１，７１に分けられている。
【００３８】
図１８およびフレーム７にサイドレンズ９ａ，９ｂが取り付けられた状態の横断面を示す図２４に示すように、両スリット７１，７１に挟まれた柱状部７２の背面には、柱状部７２の上端から下端にかけてＶ字溝７２ａが形成されている。また、柱状部７２の背面の下端近傍には、ネジ孔７３が設けられている。また、各スリット７１，７１の外側の縁部には、スリット７１，７１の延設方向に沿って延びる突条７４が設けられている。各突条７４の長さ方向中央部における突条７４と下部カバー７の内側壁とで挟まれる溝部には、スリット７１，７１内に向けて突出した一対のフック７４ａが設けられている。また、各スリット７１，７１の上端部にはそれぞれ１個のフック７５が設けられている。各フック７５は、スリット７１，７１の上端部から、スリット７１，７１内下方に向けて突出している。また、下部カバー７の中央部のやや下方の前面には、円形の開口７６が設けられている。前面ドア４の右側に取り付けられる下部カバー７の開口７６には、上述した前面ドア４の鍵差込部４５が挿通される。
【００３９】
図１６（ｂ）に示すように、前面ドア４の右側に取り付けられる下部カバー７の左側の後端縁には、下部カバー７を前面ドア４に取り付けるための４個のフック７７が設けられている。各フック７７は、下部カバー７の後方に向けて突出している。また、この下部カバー７の左側の後端縁の長さ方向中央部には、下部カバー７を前面ドア４に取り付けるための１個のフック７８が設けられている。フック７８は、下部カバー７の左側に向けて突出している。前面ドア４の左側に取り付けられる下部カバー７は、前面ドア４の右側に取り付けられる下部カバー７と左右を逆にした形状を有している。
【００４０】
図１９（ａ）および（ｂ）は下部カバー７の背後に取り付けられるサイドレンズ９ａ，９ｂを前方右側から見た斜視図、図２０（ａ）および（ｂ）はサイドレンズ９ａ，９ｂを前方から見た正面図、図２１（ａ）および（ｂ）はサイドレンズ９ａ，９ｂを右側から見た側面図、図２２（ａ）および（ｂ）はサイドレンズ９ａ，９ｂを後方から見た背面図である。
【００４１】
サイドレンズ９ａ，９ｂは、光透過性を有する透明樹脂製の棒状の透過部材であり、前端面が幅方向の両側から中央部にかけて前方に向けて傾斜している。長い方のサイドレンズ９ａは下部カバー７の上端側に取り付けられ、短い方のサイドレンズ９ｂは下部カバー７の下端側に取り付けられる。サイドレンズ９ａ，９ｂの前面側の幅方向中央部には、上端から下端にかけて溝部９１が形成されている。溝部９１は、図２４に示すように、上述した柱状部７２の背面側に形成されたＶ字溝７２ａに対応する形状を有しており、断面視略山形状を呈している。また、サイドレンズ９ａ，９ｂの長さ方向上端部から中央部および長さ方向中央部から下端部にかけての両側には、突縁９２が設けられている。各突縁９２は、背面側の両側部からサイドレンズ９ａ，９ｂの外側方に向けて突出しており、平板状を呈している。
【００４２】
サイドレンズ９ａの上端部から中央部にかけて設けられた突縁９２には、その上端側と下端側とに、突縁９２の先端からサイドレンズ９ａの前方に向けて突出している突条９２ａが１個ずつ設けられている。サイドレンズ９ａの中央部から下端部にかけて設けられた突縁９２には、その上端側から下端側にかけてと下端部とに、突縁９２の先端からサイドレンズ９ａの前方に向けて突出している２個の突条９２ａが設けられている。サイドレンズ９ｂは、サイドレンズ９ａとほぼ同じ構成を有するが、サイドレンズ９ｂの上端部から中央部および中央部から下端部にかけて設けられた各突縁９２には、その上端側から下端側にかけてそれぞれ１個の突条９２ａが設けられている。サイドレンズ９ａ，９ｂの下端部の背面側からは、サイドレンズ９ａ，９ｂの下方に向けて平板体９３が突出している。平板体９３は略四角形状を呈しており、中央部には開口９３ａが設けられている。
【００４３】
スリット７１，７１が設けられた下部カバー７の上端側および下端側には、それぞれ図２３に示すような対応関係で、下部カバー７の背面側からサイドレンズ９ａ，９ｂが取り付けられる。図２４に示すように、サイドレンズ９ａ，９ｂは、両側部の前面を下部カバー７のスリット７１，７１から露出させると共に、中央の溝部９１に柱状部７２の背面側を嵌め合わせた状態で、下部カバー７の背面に取り付けられる。下部カバー７の背面に取り付けられたサイドレンズ９ａ，９ｂは、下部カバー７の背面両側の突条７４と下部カバー７の両側壁とで形成される凹溝７ａにその両側部の突条９２ａが嵌入して、下部カバー７の幅方向における位置が固定されている。また、サイドレンズ９ａ，９ｂの両側部の長さ方向中央部における突縁９２が形成されていない部分の背面にフック７４ａが係止し、サイドレンズ９ａ，９ｂの上端部の背面にフック７５が係止し、また、平板体９３の開口９３ａを介して下端部が背面からネジ孔７３でネジ止めされて、下部カバー７の前後方向へのサイドレンズ９ａ，９ｂの位置が固定されている。
【００４４】
この状態でＬＥＤ基板４３のＬＥＤ４３ａから発光された光は、サイドレンズ９ａ，９ｂの背面側からサイドレンズ９ａ，９ｂ内に入射し、サイドレンズ９ａ，９ｂを透過してスリット７１，７１から下部カバー７の前方に向けて出射される。従って、下部カバー７の前方からは、サイドレンズ９ａ，９ｂで透過された光がスリット７１，７１を通して視認される。
【００４５】
上述した本実施形態によるパチスロ機１では、サイドレンズ９ａ，９ｂが下部カバー７の背面側から下部カバー７に取り付けられており、開口７１ａを分割する柱状部７２によってサイドレンズ９ａ，９ｂの前面の一部が覆われている。柱状部７２を含む下部カバー７は断面が図２４に示すように略三角形状をしているため、下部カバー７の前方から加えられた外力により、柱状部７２が撓んだり、開口７１ａが拡がるのに対抗することができる。また、前方から加えられた外力を、サイドレンズ９ａ，９ｂの前面に位置する柱状部７２で受けて、サイドレンズ９ａ，９ｂに加えられる外力を低減できる。従って、従来のように橋渡部材を用いずに、サイドレンズ９ａ，９ｂや下部カバー７が後方に撓んだり、下部カバー７が幅方向に拡がって左右方向に開くのを防止でき、下部カバー７の強度を確保しつつ、美観の低下を避けることができる。また、サイドレンズカバー５の強度を確保できるのでサイドレンズカバー５およびサイドレンズ９ａ，９ｂを長期間使用でき、パチスロ機１の機種変更の際に再使用できる。また、本実施形態では、下部カバー７のフック７４ａ，７５がサイドレンズ９ａ，９ｂの背面端部に係止して、サイドレンズ９ａ，９ｂと下部カバー７との前後方向の位置関係が強固に固定される。このため、前方から外力が加えられてサイドレンズ９が後方に撓むのをより効果的に避けることができる。また、本実施形態では、下部カバー７の側壁と突条７４とから構成される下部カバー７背面の凹溝７ａに、サイドレンズ９ａ，９ｂの両側に設けられた突条９２ａが嵌合して、サイドレンズ９ａ，９ｂと下部カバー７との幅方向の位置関係が強固に固定される。このため、前方から外力が加えられて下部カバー７が幅方向に拡幅するのがより強固に防止され、サイドレンズ９ａ，９ｂと下部カバー７の間にがたつきが生じるのをより効果的に避けることができる。
【００４６】
なお、上記実施の形態では、下部カバー７の凹溝７ａにサイドレンズ９ａ，９ｂの突条９２ａが嵌合してサイドレンズ９ａ，９ｂが下部カバー７に取り付けられる場合について説明した。しかし、下部カバー７の背面に形成された凹部または凸部にサイドレンズ９ａ，９ｂの前面に形成された凸部または凹部が嵌合してサイドレンズ９ａ，９ｂが下部カバー７に取り付けられるのであれば、凹部および凸部の形状や形成位置は任意であり、適宜変更して差し支えない。また、下部カバー７が備えるフック７４ａ，７５は、下部カバー７の背面に取り付けられたサイドレンズ９ａ，９ｂの背面端部に係止して、サイドレンズ９ａ，９ｂを下部カバー７に固定するのであれば、その形状や形成位置は任意であり、適宜変更して差し支えない。また、このような構成は、上部カバー６とこの上部カバー６に取り付けられるサイドレンズとの間の取付構造にも適用することができ、上部カバー６にフックや、凹部または凸部等を設け、サイドレンズに凸部または凹部等を設けてもよい。
【産業上の利用可能性】
【００４７】
上記実施形態においては、本発明による遊技機をスロットマシンに適用した場合について説明したが、筐体の前面ドアに上述したようなサイドレンズカバーを装飾部材として備える他の遊技機に本発明を適用することも可能である。このような遊技機に本発明を適用した場合においても上記実施形態と同様な作用効果が奏される。
【図面の簡単な説明】
【００４８】
【図１】本発明の一実施形態によるパチスロ機の外観を示す分解斜視図である。
【図２】図１に示すパチスロ機の筐体から取り外された前面ドアの正面図である。
【図３】図２に示す前面ドアの側面図である。
【図４】前面ドアを前方右側から見た分解斜視図である。
【図５】前面ドアを構成するベースドアを前方右側から見た斜視図である。
【図６】サイドカバー、上部装飾ランプカバー、および上部パネルを取り除いた状態の前面ドアを示す斜視図である。
【図７】図６に示す前面ドアの正面図である。
【図８】図２に示すサイドカバーと上部パネルとを示す斜視図である。
【図９】図８に示すサイドカバーを上下に分離した状態を示す斜視図である。
【図１０】図８に示す上部カバーおよび上部パネルの前面側からの斜視図である。
【図１１】図８に示す上部カバーおよび上部パネルの正面図である。
【図１２】図８に示す上部カバーおよび上部パネルの背面図である。
【図１３】前面ドアの右側に取り付けられる下部カバーの前方右側からの分解斜視図である。
【図１４】前面ドアの左側および右側に取り付けられる下部カバーの前方右側からの斜視図である。
【図１５】図１４に示す下部カバーの正面図である。
【図１６】図１４に示す下部カバーの左側からの側面図である。
【図１７】図１４に示す下部カバーの右側からの側面図である。
【図１８】図１４に示す下部カバーの背面図である。
【図１９】図１３に示すサイドレンズを示す斜視図である。
【図２０】図１３に示すサイドレンズを示す正面図である。
【図２１】図１３に示すサイドレンズを示す側面図である。
【図２２】図１３に示すサイドレンズを示す背面図である。
【図２３】図１３に示す下部カバーとサイドレンズとの対応関係を示す図である。
【図２４】下部カバーにサイドレンズが取り付けられた状態を示す断面図である。
【符号の説明】
【００４９】
１…パチスロ機
１ａ…筐体
１ｂ…上部装飾ランプカバー
４…前面ドア
５…サイドカバー
６…上部カバー
７…下部カバー
７ａ…凹溝
７１ａ…開口
７１…スリット
７２…柱状部
７４ａ…フック
７５…フック
８…上部パネル
９ａ，９ｂ…サイドレンズ
９２ａ…突条
【図１】
2006094948.tif 000003
【図２】
2006094948.tif 000004
【図３】
2006094948.tif 000005
【図４】
2006094948.tif 000006
【図５】
2006094948.tif 000007
【図６】
2006094948.tif 000008
【図７】
2006094948.tif 000009
【図８】
2006094948.tif 000010
【図９】
2006094948.tif 000011
【図１０】
2006094948.tif 000012
【図１１】
2006094948.tif 000013
【図１２】
2006094948.tif 000014
【図１３】
2006094948.tif 000015
【図１４】
2006094948.tif 000016
【図１５】
2006094948.tif 000017
【図１６】
2006094948.tif 000018
【図１７】
2006094948.tif 000019
【図１８】
2006094948.tif 000020
【図１９】
2006094948.tif 000021
【図２０】
2006094948.tif 000022
【図２１】
2006094948.tif 000023
【図２２】
2006094948.tif 000024
【図２３】
2006094948.tif 000025
【図２４】
2006094948.tif 000026